(57)【要約】【課題】  簡素かつコンパクトな構造で、通常の形状を有するコンデンサを介して電線側端子をアースに接続する。【解決手段】  コンデンサ１０と、このコンデンサ１０をアース側及び電線側端子６０にそれぞれ接続するアース接続導体３０及び電線接続導体４０とを絶縁ハウジング２０に保持する。コンデンサ１０は本体１２からコンデンサ端子１４，１６が同じ向きに突出する形状をもつ。アース接続導体３０は、絶縁ハウジング２０から前記両コンデンサ端子１４，１６とほぼ同じ向きに突出するアース端子部３２と、コンデンサ端子１４に接続されるコンデンサ接続部３４とを有する。電線接続導体４０は、絶縁ハウジング２０に形成された端子挿入孔２２内に両コンデンサ端子１４，１６と逆向きに突出して電線側端子６０と嵌合される端子嵌合部４４と、コンデンサ端子１６に接続されるコンデンサ接続部４２とを有する。【選択図】      図２
2006100061.tif 000002
【特許請求の範囲】
【請求項１】
コンデンサ本体から第１コンデンサ端子及び第２コンデンサ端子が互いに同じ向きに突出するコンデンサを内蔵し、そのコンデンサを介して電線側端子をアースに接続するコンデンサ内蔵コネクタであって、前記コンデンサを保持する絶縁ハウジングと、接地部分に接続されるアース端子部及び前記第１コンデンサ端子に接続される第１コンデンサ接続部を有するとともに、前記第１コンデンサ接続部が前記第１コンデンサ端子と接続可能でかつ前記アース端子部が前記絶縁ハウジングから前記両コンデンサ端子とほぼ同じ向きに突出する姿勢で前記絶縁ハウジングにより保持されるアース接続導体と、前記電線側端子と嵌合される端子嵌合部及び前記第２コンデンサ端子に接続される第２コンデンサ接続部を有するとともに、前記第２コンデンサ接続部が前記第２コンデンサ端子と接続可能でかつ前記端子嵌合部が前記両コンデンサ端子と逆を向く姿勢で前記絶縁ハウジングにより保持される電線接続導体とを備え、前記絶縁ハウジングには、前記コンデンサの側方に位置して前記両コンデンサ端子の向きと逆向きに前記電線側端子が挿入される端子挿入部と、この端子挿入部に挿入される電線側端子を係止する係止部とが設けられ、前記端子挿入部に挿入された電線側端子が前記端子嵌合部と嵌合してその嵌合位置で前記係止部により係止されるように構成されていることを特徴とするコンデンサ内蔵コネクタ。
【請求項２】
請求項１記載のコンデンサ内蔵コネクタにおいて、前記絶縁ハウジングには、前記電線接続導体の第２コンデンサ接続部及び端子嵌合部がそれそれ同じ側から圧入される電線接続導体用圧入孔を有し、その圧入によって当該絶縁ハウジングに前記第２コンデンサ接続部及び端子嵌合部が固定されることを特徴とするコンデンサ内蔵コネクタ。
【請求項３】
請求項２記載のコンデンサ内蔵コネクタにおいて、前記電線接続導体は、その第２コンデンサ接続部と端子嵌合部とを当該端子嵌合部の向きと略直交する方向につなぐ連結部を有し、かつ、この連結部が前記絶縁ハウジングの側面に当接する位置まで前記第２コンデンサ接続部及び端子嵌合部が前記圧入孔に圧入されることを特徴とするコンデンサ内蔵コネクタ。
【請求項４】
請求項１〜３のいずれかに記載のコンデンサ内蔵コネクタにおいて、前記絶縁ハウジングは、前記コンデンサを保持する位置からその両コンデンサ端子の並び方向と直交する方向に外れた位置にアース接続導体用圧入孔を有し、前記アース接続導体は、前記アース端子部と反対側に突出して前記アース接続導体用圧入孔に圧入されることにより前記絶縁ハウジングに固定される圧入固定部を有するとともに、この圧入固定部から前記両コンデンサ端子の並び方向と直交する方向に外れた位置であって前記第１コンデンサ端子と接続可能な位置に前記第１コンデンサ接続部を有することを特徴とするコンデンサ内蔵コネクタ。
【請求項５】
請求項１〜４のいずれかに記載のコンデンサ内蔵コネクタにおいて、前記絶縁ハウジングの端子挿入部は前記電線側端子がほぼ隙間なく嵌入される形状を有しており、当該絶縁ハウジングの係止部は前記電線側端子に直接係合するものであることを特徴とするコンデンサ内蔵コネクタ。
【請求項６】
請求項１〜５のいずれかに記載のコンデンサ内蔵コネクタにおいて、前記絶縁ハウジングに、少なくとも前記両コンデンサ端子と前記両コンデンサ接続部との接続箇所を外部に開放する開口部が形成されるとともに、この開口部を覆うように前記絶縁ハウジングに装着されるカバーを備えたことを特徴とするコンデンサ内蔵コネクタ。
【請求項７】
請求項６記載のコンデンサ内蔵コネクタにおいて、前記両コンデンサ端子と前記両コンデンサ接続部とが溶接により接続されていることを特徴とするコンデンサ内蔵コネクタ。
【請求項８】
請求項６または７記載のコンデンサ内蔵コネクタにおいて、前記絶縁ハウジングに、前記両コンデンサ端子と前記両コンデンサ接続部との接続箇所を囲む凹部が形成され、この凹部により、前記接続箇所に供給される接着剤の広がり範囲が規制されるように構成されていることを特徴とするコンデンサ内蔵コネクタ。
【請求項９】
請求項８記載のコンデンサ内蔵コネクタにおいて、前記凹部内に、前記両コンデンサ端子と前記両コンデンサ接続部との接続箇所を覆いかつ当該コンデンサの本体と絶縁ハウジングとの間を接着するように接着剤が供給されて固化していることを特徴とするコンデンサ内蔵コネクタ。
【請求項１０】
請求項６〜９のいずれかに記載のコンデンサ内蔵コネクタにおいて、前記カバーには、このカバーが前記絶縁ハウジングに装着された状態で前記電線側端子を二次係止する二次係止部が設けられており、この二次係止部は、前記電線側端子が前記端子嵌合部に嵌合された位置にあるときにのみ当該電線側端子と係合可能となる位置に設けられていることを特徴とするコンデンサ内蔵コネクタ。
【請求項１１】
請求項１０記載のコンデンサ内蔵コネクタにおいて、前記カバーは、前記絶縁ハウジングがその端子挿入部側から挿入可能な開口部をもつ容器状をなし、その開口部と反対側の側壁の内面に前記絶縁ハウジング内に進入可能な形状の二次係止部が突設されていることを特徴とするコンデンサ内蔵コネクタ。
【請求項１２】
請求項６〜１１のいずれかに記載のコンデンサ内蔵コネクタにおいて、前記絶縁ハウジング及びカバーには、前記電線接続端子と接触してその導通検査を行うための導通検査治具がカバーの外側から挿入可能な治具挿入窓が設けられていることを特徴とするコンデンサ内蔵コネクタ。
【請求項１３】
請求項１２記載のコンデンサ内蔵コネクタにおいて、前記治具挿入窓は、前記導通検査治具に加え、前記係止部による前記電線側端子の係止状態を解除する方向に当該係止部を操作するための係止解除治具が挿入可能な形状を有することを特徴とするコンデンサ内蔵コネクタ。
【請求項１４】
請求項１〜１３のいずれかに記載のコンデンサ内蔵コネクタにおいて、前記アース接続導体のアース端子部は、他のアース端子と合体可能な形状を有し、当該アース端子とともに共通の接地部分に接続可能となるように構成されていることを特徴とするコンデンサ内蔵コネクタ。
【発明の詳細な説明】
【技術分野】
【０００１】
本発明は、自動車用ワイヤハーネス等から導出されるアース用電線をコンデンサを介してアースに接続するためのコンデンサ内蔵コネクタに関するものである。
【背景技術】
【０００２】
自動車に配索されるワイヤハーネス等においては、そのノイズ対策として、当該ワイヤハーネスに含まれるアース用電線をコンデンサを介して適当な接地部分（例えば車両のボディ）に接続することが行われる。
【０００３】
従来、このようにコンデンサを介して所定の電線をアースに接続するためのコンデンサ内蔵コネクタとして、特許文献１に記載されるものが知られている。その概要を図１０（ａ）（ｂ）に示す。
【０００４】
図示のコネクタは、電線Ｄの端末に固定される電線側端子２００と、コネクタハウジング２１０と、端子ユニット２２０とを備え、端子ユニット２２０は、中継端子２３０と、コンデンサ２４０と、アース接続端子２５０とを含んでいる。
【０００５】
前記コンデンサ２４０は、その本体から一対の端子２４２，２４４が互いに逆向きに突出する形状をなし、これらの端子２４２，２４４がそれぞれ前記アース接続端子２５０及び中継端子２３０に接続されることにより、前記中継端子２３０、コンデンサ２４０、及びアース接続端子２５０が軸方向に直線状に配列された状態となっている。さらに、前記中継端子２４４は筒状の保持部材２６０内に挿入され、同部材２６０内に保持されるようになっている。
【０００６】
前記コネクタハウジング２１０は、前記端子ユニット２２０と同じく軸方向に延びている。このコネクタハウジング２１０の一方の端部には前記電線側端子２００が挿入される端子収容室２１２が形成され、その奥に前記電線側端子２００を係止するランス２１４が形成されており、当該コネクタハウジング２１０の他方の端部には部品収納室２１６が形成されている。
【０００７】
このコネクタでは、前記コネクタハウジング２１０の部品収納室２１６内に前記端子ユニット２２０がその保持部材２６０側から挿入され、この保持部材２６０が前記コネクタハウジング２１０内に係止されることにより、当該保持部材２６０を介して前記中継端子２３０がコネクタハウジング２１０内に保持される。その後、前記端子ユニット２２０とコネクタハウジング２１０の内周面との隙間にポッティング剤２７０（図１０（ｂ））が充填され、固化することにより、端子ユニット２２０がコネクタハウジング２１０内に固定される。この状態で、前記端子収容室２１２内に電線側端子２００を挿入することにより、当該電線側端子２００が前記中継端子２３０に嵌合して当該中継端子２３０及びコンデンサ２４０を介してアース接続端子２５０に接続されるとともに、ランス２１４によってコネクタハウジング２１０内に係止される。
【特許文献１】特開平１０−３３５００３号公報
【発明の開示】
【発明が解決しようとする課題】
【０００８】
前記特許文献記載のコネクタでは、アース接続端子２５０、コンデンサ２４０、中継端子２３０、及び電線側端子２００がこの順に軸方向に一列に並んだ状態で接続されるようになっているので、コネクタ全体の軸長が大きく、よって前記電線Ｄを含むワイヤハーネスとアース接続部位（アース接続端子２５０が固定される部位）との間に距離を置かなければならず、その分だけ前記ワイヤハーネスの配索位置に制約を受けることになる。
【０００９】
また、一般に使用されるコンデンサはその本体から一対の端子が同じ向きに突出する形状を有するのに対し、前記のような配列を行うためには一対の端子２４２，２４４がコンデンサ本体から互いに逆向きに突出する特殊形状のコンデンサ２４０を用いなければならず、その分コストアップとなる。
【００１０】
また、前記のように各部品が一直線上に並んで配列される関係上、中継端子２３０に対する電線側端子２００の嵌合及び引抜きによる軸方向荷重がコンデンサ２４０の端子２４２，２４４と中継端子２３０及びアース接続端子２５０との接続箇所に作用し易く、これを回避するためには、前記中継端子２３０を前記コネクタハウジング２１０とは別部材である専用の保持部材２６０に保持した上で当該保持部材２６０をコネクタハウジング２１０内に装着するといった必要が生じる。
【００１１】
本発明は、このような事情に鑑み、通常の形状を有するコンデンサを用いながら、簡素かつコンパクトな構造で、当該コンデンサを介して電線側端子をアースに接続することができるコンデンサ内蔵コネクタを提供することを目的とする。
【課題を解決するための手段】
【００１２】
前記課題を解決するための手段として、本発明は、コンデンサ本体から第１コンデンサ端子及び第２コンデンサ端子が互いに同じ向きに突出するコンデンサを内蔵し、そのコンデンサを介して電線側端子をアースに接続するコンデンサ内蔵コネクタであって、前記コンデンサを保持する絶縁ハウジングと、接地部分に接続されるアース端子部及び前記第１コンデンサ端子に接続される第１コンデンサ接続部を有するとともに、前記第１コンデンサ接続部が前記第１コンデンサ端子と接続可能でかつ前記アース端子部が前記絶縁ハウジングから前記両コンデンサ端子とほぼ同じ向きに突出する姿勢で前記絶縁ハウジングにより保持されるアース接続導体と、前記電線側端子と嵌合される端子嵌合部及び前記第２コンデンサ端子に接続される第２コンデンサ接続部を有するとともに、前記第２コンデンサ接続部が前記第２コンデンサ端子と接続可能でかつ前記端子嵌合部が前記両コンデンサ端子と逆を向く姿勢で前記絶縁ハウジングにより保持される電線接続導体とを備え、前記絶縁ハウジングには、前記コンデンサの側方に位置して前記両コンデンサ端子の向きと逆向きに前記電線側端子が挿入される端子挿入部と、この端子挿入部に挿入される電線側端子を係止する係止部とが設けられ、前記端子挿入部に挿入された電線側端子が前記端子嵌合部と嵌合してその嵌合位置で前記係止部により係止されるように構成されているものである。
【００１３】
この構成によれば、コンデンサ本体から第１コンデンサ端子及び第２コンデンサ端子が互いに同一の向きに突出する一般的な形状のコンデンサを用いながら、その突出の向きと同じ向きに絶縁ハウジングから突出するアース接続導体のアース端子部を接地部分に接続し、かつ、当該アース端子部と反対の側から前記絶縁ハウジングの端子挿入部内に電線側端子を挿入して電線接続導体の端子嵌合部に嵌合することにより、この電線側端子を前記電線接続導体、前記コンデンサ、及び前記アース接続導体が順に並ぶ接続経路を通じて前記接地部分に電気的に接続することができる。
【００１４】
また、その接続経路は前記コンデンサ及び電線接続導体で電流の向きが反転する蛇行した経路となっているので、前記特許文献１に記載されるように全部品が軸方向に一列に配置されるものに比べ、コネクタの軸長が大幅に短縮されるとともに、電線接続導体の端子嵌合部に対する電線側端子の嵌合時及び引抜き時に加えられる荷重（挿脱荷重）が前記コンデンサの第２コンデンサ端子と電線接続導体の第２コンデンサ接続部との接続部位や第１コンデンサ端子とアース接続導体の第１コンデンサ接続部との接続部位に作用しにくく、よって、従来のように特別な保持部材を用いなくても前記電線接続導体を前記挿脱荷重に抗して絶縁ハウジング側に直接かつ容易に保持することが可能になる。
【００１５】
例えば、前記絶縁ハウジングが、前記電線接続導体の第２コンデンサ接続部及び端子嵌合部がそれそれ同じ側から圧入される電線接続導体用圧入孔を有し、その圧入によって当該絶縁ハウジングに前記第２コンデンサ接続部及び端子嵌合部が固定される構成にすることも可能であり、これによって、構造の更なる簡素化及び組立作業の容易化を図ることができる。
【００１６】
さらに、前記電線接続導体が、その第２コンデンサ接続部と端子嵌合部とを当該端子嵌合部の向きと略直交する方向につなぐ連結部を有し、かつ、この連結部が前記絶縁ハウジングの側面に当接する位置まで前記第２コンデンサ接続部及び端子嵌合部が前記圧入孔に圧入される構成とすれば、当該連結部と絶縁ハウジング側面との当接によって、前記第２コンデンサ接続部及び端子嵌合部の位置決めを確実に行うことができる。
【００１７】
また、前記絶縁ハウジングが、前記コンデンサを保持する位置からその両コンデンサ端子の並び方向と直交する方向に外れた位置にアース接続導体用圧入孔を有し、前記アース接続導体が、前記アース端子部と反対側に突出して前記アース接続導体用圧入孔に圧入されることにより前記絶縁ハウジングに固定される圧入固定部を有するとともに、この圧入固定部から前記両コンデンサ端子の並び方向と直交する方向に外れた位置であって前記第１コンデンサ端子と接続可能な位置に前記第１コンデンサ接続部を有する構成とすれば、前記アース接続導体とコンデンサとの干渉を回避し、かつ、コンパクトな構造を保ちながら、当該アース接続導体も圧入によって絶縁ハウジングに固定することが可能になる。
【００１８】
本発明において、前記電線側端子は、前記絶縁ハウジングとは別のコネクタハウジングに保持されていて当該コネクタハウジングが前記絶縁ハウジングに嵌合されるものでもよいが、前記絶縁ハウジングの端子挿入部が前記電線側端子がほぼ隙間なく嵌入される形状を有しており、当該絶縁ハウジングの係止部が前記電線側端子に直接係合するものであれば、コネクタ全体をさらに小型化することが可能になる。
【００１９】
また、前記絶縁ハウジングに、少なくとも前記両コンデンサ端子と前記両コンデンサ接続部との接続箇所を外部に開放する開口部が形成されるとともに、この開口部を覆うように前記絶縁ハウジングに装着されるカバーを備えるようにすれば、当該絶縁ハウジングにコンデンサを組み込んだ状態で当該コンデンサの両コンデンサ端子と両コンデンサ接続部とを前記開口部を通じて容易に接続する（例えば溶接により接続する）ことができるとともに、その接続後にカバーを装着して前記開口部を塞ぐことにより、前記接続箇所を有効に保護することができる。
【００２０】
さらに、前記絶縁ハウジングに、前記両コンデンサ端子と前記両コンデンサ接続部との接続箇所を囲む凹部が形成され、この凹部により、前記接続箇所に供給される接着剤の広がり範囲が規制されるように構成されていれば、当該接着剤を前記接続箇所に供給しかつその広がり範囲を規制することにより、少ない接着剤で前記接続箇所の防水を効率良く行うことができる。
【００２１】
さらに、前記凹部内に、前記両コンデンサ端子と前記両コンデンサ接続部との接続箇所を覆うのに加えて当該コンデンサの本体と絶縁ハウジングとの間を接着するように接着剤が供給されて固化している構成とすれば、当該接着剤によって前記接続箇所を防水できるのと同時にコンデンサと絶縁ハウジングとの相対変位をより確実に阻止することができる。従って、このコンデンサ内蔵コネクタが搭載される車両の走行等に起因して前記接続箇所に振動荷重が加わるのをより有効に抑止することができる。
【００２２】
また、前記カバーに、このカバーが前記絶縁ハウジングに装着された状態で前記電線側端子を二次係止する二次係止部が設けられ、この二次係止部が、前記電線側端子が前記端子嵌合部に嵌合された位置にあるときにのみ当該電線側端子と係合可能となる位置に設けられている構成であれば、前記カバーの装着により、前記接続箇所の保護と同時に、前記電線側端子の半嵌合状態の検出及びその二重係止を行うことができる。
【００２３】
具体的に、前記カバーとしては、前記絶縁ハウジングがその端子挿入部側から挿入可能な開口部をもつ容器状をなし、その開口部と反対側の側壁の内面に前記二次係止部が突設されているものが、好適である。この構成によれば、前記カバー内にその開口部から前記絶縁ハウジングを挿入することによって当該絶縁ハウジングの外面を大きな面積に亘って保護することができるとともに、その挿入方向への装着動作によって前記二次係止部を絶縁ハウジング内に進入させることができる。
【００２４】
また、前記絶縁ハウジング及びカバーには、前記電線接続端子と接触してその導通検査を行うための導通検査治具がカバーの外側から挿入可能な治具挿入窓が設けられていることが、より好ましい。
【００２５】
さらに、前記治具挿入窓が、前記導通検査治具に加え、前記係止部による前記電線側端子の係止状態を解除する方向に当該係止部を操作するための係止解除治具が挿入可能な形状を有する構成とすれば、共通の治具挿入窓を用いて、前記導通検査と係止解除の双方を行うことが可能になる。
【００２６】
また、本発明において、前記アース接続導体のアース端子部は、他のアース端子と合体可能な形状を有し、当該アース端子とともに共通の接地部分に接続可能となるように構成されていれば、必要となるアース接続箇所の個数を削減して配線形態をより簡素化することが可能になる。
【発明の効果】
【００２７】
以上のように、本発明によれば、一対のコンデンサ端子がコンデンサ本体から互いに同じ向きに突出する一般的な形状のコンデンサを用いながら、簡素かつコンパクトな構造で、前記コンデンサを介して電線側端子をアースに接続することができる効果がある。
【発明を実施するための最良の形態】
【００２８】
本発明の好ましい実施の形態を図１〜図９に基づいて説明する。
【００２９】
ここに示すコンデンサ内蔵コネクタは、コンデンサ１０と、このコンデンサ１０を保持する絶縁ハウジング２０と、この絶縁ハウジング２０に保持されるアース接続導体３０及び電線接続導体４０と、前記絶縁ハウジング２０に被着されるカバー５０とを備え、適当な電線Ｄの端末に固定された電線側端子６０を前記電線接続導体４０、前記コンデンサ１０、及び前記アース接続導体３０を順に介してアースに接続するように構成されている。
【００３０】
前記電線側端子６０は通常の雌型端子であり、箱型の電気接触部６２を有するとともに、その後方に導体バレル６３及びインシュレーションバレル６４を順に有しており、その両バレル６３，６４により（図例では）アース接続すべき２本の電線Ｄがまとめて抱き込み保持されている。すなわち、単一の電線側端子６０が２本の電線Ｄの端末に共通圧着されている。また、前記電気接触部６２の適所からは逆姿勢挿入防止用のスタビライザ６６が突出している。
【００３１】
前記コンデンサ１０は、ごく一般的な形状、すなわち、略直方体状のコンデンサ本体１２からピン状の第１コンデンサ端子１４及び第２コンデンサ端子１６が互いに間隔をおいて同じ向きに突出する形状を有している。
【００３２】
前記絶縁ハウジング２０は、図例では平面視が略正方形の直方体状をなしている。この絶縁ハウジング２０には上方に開口する比較的大面積の開口部２１Ａが形成され、この開口部２１Ａ内に前記コンデンサ１０が横向きの姿勢で収納可能となっている。
【００３３】
この絶縁ハウジング２０は、前記開口部２１Ａのすぐ側方の位置に端子挿入孔２２を有している。この端子挿入孔２２は、前記開口部２１Ａ内に収納されるコンデンサ１２の両コンデンサ端子１４，１６の突出の向きと逆向きに開口し、その開口２２ａから当該端子挿入孔２２内に前記電線側端子６０が挿入可能となっている。図例では、この電線側端子６０の前記スタビライザ６６が絶縁ハウジング２０の外側を向く姿勢でのみ前記端子挿入孔２２内に挿入可能とされている。
【００３４】
前記アース接続導体３０及び電線接続導体４０は、金属板を所定形状に打ち抜いて曲げ加工することにより形成されており、このうちアース接続導体３０は、アース端子部３２と、第１コンデンサ接続部３４と、圧入固定部３６とを一体に有している。
【００３５】
前記アース端子部３２と圧入固定部３６とは僅かな段差を挟んで略同一平面上に並び、かつ、互いに逆向きに突出しており、前記第１コンデンサ接続部３４は、前記圧入固定部３６の上面から上方に隆起し、かつ、前記アース端子部３２と逆向きに突出する鍵状をなしている。これに対し、絶縁ハウジング２０においては、前記コンデンサ１０からその両コンデンサ端子１４，１６の並び方向と直交する方向に外れた位置（図例ではコンデンサ１０よりも下方の位置）に、前記圧入固定部３６が前記両コンデンサ端子１４，１６の突出の向きと逆向きに圧入可能である偏平なアース接続導体用圧入孔２３Ａを有するとともに、その圧入に伴って前記第１コンデンサ接続部３４が挿入可能な形状の第１コンデンサ接続部用挿入孔２３Ｂを有している。
【００３６】
そして、前記アース接続導体用圧入孔２３Ａ内に前記圧入固定部３６が圧入されることにより、前記アース接続導体３０が前記絶縁ハウジング２０に固定されるようになっている。具体的には、前記第１コンデンサ接続部３４が前記第１コンデンサ端子１４に対して下側から接触する位置に保持され、また、前記アース端子部３２が前記絶縁ハウジング２０から前記両コンデンサ端子１４，１６の突出の向きと同じ向きに突出する姿勢でアース接続導体３０が保持される。
【００３７】
前記アース端子部３２にはボルト挿通孔３２ａが設けられ、このボルト挿通孔３２ａに挿通されるボルトによって当該アース端子部３２を所定の接地部位（例えば車両のボディ）に締結することが可能となっている。また、図４（ａ）に示すように、前記絶縁ハウジング２０の下半部には、前記第１コンデンサ接続部３４が前記第１コンデンサ端子１４と接触する部位を下方に開放する開口部２１Ｂが形成されており、この開口部２１Ｂ及び前記開口部２１Ａを通じて上下から溶接用電極を挿入して前記第１コンデンサ端子１４とこれに接触する前記第１コンデンサ接続部３４とを上下から挟み込むことにより、これら第１コンデンサ端子１４と第１コンデンサ接続部３４とを電気溶接により接続することが可能となっている。
【００３８】
一方、前記電線接続導体４０は、第２コンデンサ接続部４２と、端子嵌合部４４と、これらを連結する連結部４６とを一体に有しており、この連結部４６の両端から前記第２コンデンサ接続部４２及び端子嵌合部４４が互いに同じ向きに突出する形状をなしている。
【００３９】
前記第２コンデンサ接続部４２は、前記連結部４６からこれと直交する方向に延び、絶縁ハウジング２０に立直姿勢で保持される立直部４２ａと、この立直部４２ａの端部下縁から端子嵌合部４４側に延びるコンデンサ端子接触部４２ｂとで構成されている。前記端子嵌合部４４は、前記電線側端子６０の電気接触部６２内に嵌入可能なタブ（雄型端子）を構成しており、前記立直部４２ａと同様に立直姿勢で絶縁ハウジング２０に保持されるようになっている。
【００４０】
具体的に、前記絶縁ハウジング２０には、前記アース接続導体用圧入孔２３Ａが開口する側面と同じ側面に開口する第２コンデンサ接続部用圧入孔２４Ａ及び端子嵌合部用圧入孔２４Ｂが形成されており、これらの圧入孔２４Ａ，２４Ｂ内に前記第２コンデンサ接続部４２及び端子嵌合部４４がそれぞれ両コンデンサ端子１４，１６の突出の向きと逆の向きに挿入され、かつ、前記連結部４６が前記ハウジング側面に当接する深さまで圧入されることにより、電線接続導体４０全体が絶縁ハウジング２０に固定されるようになっている。その固定位置は、前記第２コンデンサ接続部４２のコンデンサ端子接触部４２ｂが前記第２コンデンサ端子１６に対して下側から接触可能で、かつ、前記端子嵌合部４４が立直姿勢で前記端子挿入孔２２内に前記両コンデンサ端子１４，１６の突出の向きと逆向きに突出する位置に設定されている。
【００４１】
ここで、図４（ａ）に示すように、前記絶縁ハウジング２０の下半部には、前記第２コンデンサ接続部４２のコンデンサ端子接触部４２ｂが前記第２コンデンサ端子１６と接触する部位を下方に開放する開口部２１Ｃが形成されており、前記アース接続導体３０の圧入固定部３６には前記開口部２１Ｃを避けてこれを開通させるための切欠３６ａ（図６（ａ）参照）が形成されている。そして、この開口部２１Ｃ及び前記開口部２１Ａを通じて上下から溶接用電極を挿入して前記第１コンデンサ端子１４とこれに接触する前記第１コンデンサ接続部３４とを上下から挟み込むことにより、これら第１コンデンサ端子１４と第１コンデンサ接続部３４とを電気溶接により接続することが可能となっている。
【００４２】
また、前記端子嵌合部４４の位置は、前記端子挿入孔２２内に挿入される電線側端子６０の電気接触部６２と嵌合可能な位置に設定されている。一方、絶縁ハウジング２０には、前記端子挿入孔２２の外側に位置する側壁に撓み変形可能なランス２５が形成され、前記端子嵌合部４４に嵌合する位置まで前記電線側端子６０が挿入された状態で前記ランス２５の端部に形成された係止部２５ａが前記電線側端子６０を係止するように構成されている。
【００４３】
なお、図例では電線側端子６０が雌型端子、端子嵌合部４４が雄型端子となっているが、その雌雄は逆でもよい。
【００４４】
前記カバー５０は、前記絶縁ハウジング２０のほぼ全体を収容する容器状をなしている。具体的には、内部空間を四方から囲む周壁５２と、この周壁５２により囲まれた内部空間を一方の側から塞ぐ側壁５４とを有し、この側壁５４と反対側に開口している。そして、この開口部５６を入口として前記絶縁ハウジング２０がその端子挿入孔２２側から挿入可能となっている。
【００４５】
前記カバー５０の周壁５２のうち、前記端子挿入孔２２の開口２２ａに面する周壁には、当該開口２２ａと合致する開口５２ａが形成され、両開口２２ａ，５２ａを通じて端子挿入孔２２内に電線側端子６０が挿入可能となっている。
【００４６】
ここで、前記絶縁ハウジング２０に対するカバー５０の装着位置は、図３（ａ）及び図５（ａ）に示すような仮装着位置（一次係止位置）と、図３（ｂ）及び図５（ｂ）に示すような完全装着位置（二次係止位置）の二段にわたって設定されており、この完全装着位置においてカバー５０が後述のような電線側端子６０の二次係止を行うように構成されている。
【００４７】
ます仮装着位置について、前記カバー５０の開口５２ａからはさらに被係止窓５７が延長される一方、これに対応する絶縁ハウジング２０の側面には仮係止突起２７が突設されている。そして、この仮係止突起２７が前記被係止窓５７に嵌まり込む位置までカバー５０内に絶縁ハウジング２０を挿入することにより、当該絶縁ハウジング２０に対して前記カバー５０が前記完全装着位置よりも手前側の仮装着位置に係止されるようになっている。
【００４８】
さらに、完全装着位置について、前記カバー５０の周壁５２のうち前記開口５２ａが形成されている周壁と反対側の周壁には、図１に示すように水平方向に延びる上下のスリット５１に挟まれた撓み片５３が形成され、この撓み片５３の先端部に内向きの突起５３ａが形成される一方、これに対応する絶縁ハウジング２０の側面には係止凹部２８が形成されており、前記仮装着位置からさらに深くカバー５０内に絶縁ハウジング２０を挿入することにより前記係止凹部２８に前記撓み片５３の突起５３ａが嵌まり込んでカバー５０が完全装着位置に保持されるようになっている。
【００４９】
ここで、前記スリット５１のうち下側のスリット５１は前記アース接続導体３０の圧入固定部３６が差込可能な位置に形成されており、当該圧入固定部３６とカバー５０との干渉防止用スリットを兼ねている。
【００５０】
前記側壁５４の内側面には、図２及び図５（ａ）（ｂ）に示すような上下一対の二次係止突起５８が内向きに突設されている。これに対し、前記絶縁ハウジング２０における前記端子挿入孔２２の外側の側壁には、前記ランス２５から上下に外れた位置に二次係止突起挿入孔２６が設けられている。そして、カバー５０が前記仮装着位置にあり、かつ、前記端子嵌合部４４に完全嵌合する位置まで端子挿入孔２２内に電線側端子６０が挿入された状態で、当該仮装着位置から前記完全装着位置までカバー５０と絶縁ハウジング２０とを相対移動させることにより、当該カバー５０の二次係止突起５８が前記二次係止突起挿入孔２６を通じて前記電線側端子６０のスタビライザ６６のすぐ後側の位置まで進入し、これにより当該電線側端子６０を二次係止するように、当該二次係止突起５８の位置が設定されている。
【００５１】
また、前記絶縁ハウジング２０の四隅のうち前記ランス２５の先端部及び端子嵌合部４４に近接する隅部と、この隅部に対応するカバー５０の隅部とには、図３（ａ）に示すような仮装着位置において互いに開通する治具挿入窓２２ｂ，５５がそれぞれ形成されている。そして、これら治具挿入窓２２ｂ，５５から導通検査用治具７０を挿入して前記端子嵌合部４４に接触させ、別の導通検査用治具をアース接続導体３０に接触させることにより、前記コンデンサ１０を介してのアース接続導体３０と電線接続導体４０との導通を検査することが可能となっている。さらに、同じ治具挿入窓２２ｂ，５５から端子挿入孔２２内に係止解除治具７２も挿入可能となっており、当該係止解除治具７２を用いてランス２５を強制的に撓ませることによって当該ランス２５による電線側端子６０の係止を解除することが可能となっている。
【００５２】
なお、このカバー５０の具体的な形状は問わず、例えば開口部２１Ａ〜２１Ｃのみを局所的に覆う形状でもよい。また、絶縁ハウジング２０の構造によっては適宜省略も可能である。
【００５３】
次に、このコンデンサ内蔵コネクタの組立要領及び使用要領を図６及び図７の工程図も併せて参照しながら説明する。
【００５４】
１）図６（ａ）に示すようにアース接続導体３０及び電線接続導体４０を絶縁ハウジング２０に固定する。具体的には、絶縁ハウジング２０のアース接続導体用圧入孔２３Ａにアース接続導体３０の圧入固定部３６を圧入するとともに第１コンデンサ接続部用挿入孔２３Ｂに第１コンデンサ接続部３４を挿入することにより、当該絶縁ハウジング２０にアース接続導体３０を固定する。また、前記絶縁ハウジング２０の第２コンデンサ接続部用圧入孔２４Ａ及び端子嵌合部用圧入孔２４Ｂにそれぞれ電線接続導体４０の第２コンデンサ接続部４２及び端子嵌合部４４を圧入することにより、当該絶縁ハウジング２０に電線接続導体４０を固定する。
【００５５】
２）図６（ｂ）に示すような市販のコンデンサ、すなわち、コンデンサ本体１２から同じ側に第１コンデンサ端子１４及び第２コンデンサ端子１６が突出するコンデンサ１０を用意し、そのコンデンサ端子１４，１６を適当な長さに切断して同図（ｃ）に示すように絶縁ハウジング２０内にセットする。具体的には、前記コンデンサ１０を絶縁ハウジング２０内に開口部２１Ａから嵌め込み、その第１コンデンサ端子１４及び第２コンデンサ端子１６がそれぞれアース接続導体３０の第１コンデンサ接続部３４及び電線接続導体４０の第２コンデンサ接続部４２のコンデンサ端子接触部４２ｂに上から接触する状態にする。
【００５６】
３）図４（ｂ）に示す開口部２１Ａ，２１Ｂ内にそれぞれ溶接用電極を挿入して第１コンデンサ端子１４と第１コンデンサ接続部３４との接触部位を上下から挟み込むことにより、これら第１コンデンサ端子１４と第１コンデンサ接続部３４とを溶接により接続する。同様に、開口部２１Ａ，２１Ｃ内にそれぞれ溶接用電極を挿入して第２コンデンサ端子１６と第２コンデンサ接続部４２のコンデンサ端子接触部４２ｂとの接触部位を上下から挟み込むことにより、これら第２コンデンサ端子１６とコンデンサ端子接触部４２ｂとを溶接により接続する。さらに、必要に応じて前記各接続部位に接着剤を滴下する等して防水処理を施す。
【００５７】
その場合、図示の構成では、図８（ａ）（ｂ）に示すように、前記開口部２１Ａが両コンデンサ端子１４，１６と前記両コンデンサ接続部４２，４４との接続箇所を囲む凹部を構成しており、この凹部により、前記接続箇所に供給される接着剤の広がり範囲が規制されるようになっているので、当該接着剤を前記接続箇所に供給しかつその広がり範囲を規制することにより、少ない接着剤で前記接続箇所の防水を効率良く行うことができる。
【００５８】
特に、図８（ａ）に示すように、前記凹部内に、前記両コンデンサ端子１４，１６と前記両コンデンサ接続部４２，４４との接続箇所を覆うのに加えて当該コンデンサの本体１２の縁部と絶縁ハウジング２０における開口部２１Ａの底面との間を接着するように接着剤８０が供給されて固化している構成とすれば、当該接着剤８０によって、前記接続箇所の防水と同時にコンデンサ１０と絶縁ハウジング２０との相対変位をより確実に阻止することができる。従って、このコンデンサ内蔵コネクタが搭載される車両の走行等に起因して前記接続箇所に振動荷重が加わるのをより有効に抑止することができる。
【００５９】
４）図７（ａ）に示すようにカバー５０の開口部５６に対して絶縁ハウジング２０をその端子挿入孔２２側の端部から挿入し、当該カバー５０の被係止窓５７内に絶縁ハウジング２０側の仮係止突起２７を入り込ませて当該カバー５０を同図（ｂ）に示すような仮装着位置に保持する。このとき、図５（ａ）に示すようにカバー５０側の二次係止突起５８は端子挿入孔２２内に侵入しておらず、よって当該端子挿入孔２２内に電線側端子６０が侵入可能な状態にある。
【００６０】
５）ワイヤハーネスに含まれる適当な電線Ｄ（図例では２本の電線Ｄ）の端末に電線側端子６０を圧着しておき、この電線側端子６０をカバー５０及び絶縁ハウジング２０の開口５２ａ，２２ａを通じて端子挿入孔２２内に奥まで挿入することにより、当該端子挿入孔２２内に突出する端子嵌合部４４に前記電線側端子６０を嵌合する。
【００６１】
このとき、端子嵌合部４４は前記第２コンデンサ端子１６と第２コンデンサ接続部４２との接続部位から側方に外れた位置で当該第２コンデンサ端子１６の突出の向きと逆向きに突出しているので、前記特許文献１記載のように各部品が軸方向に一列に並ぶ配置のものに比べ、前記端子嵌合部４４に対する電線側端子６０の嵌合や引抜きの際に加えられる荷重が前記第２コンデンサ端子１６と第２コンデンサ接続部４２との接続部位に作用しにくい。また、電線接続導体４０は絶縁ハウジング２０側にそのまま圧入保持できるので、従来のように電線接続導体４０を保持するための保持部材を絶縁ハウジング２０とは別に設ける必要もない。
【００６２】
６）前記仮装着位置からさらに絶縁ハウジング２０に対してカバー５０を変位させて図７（ｃ）に示すような完全装着位置にする。この完全装着位置は、図３（ｂ）に示すようにカバー５０側の撓み片５３の突起５３ａが絶縁ハウジング２０の係止凹部２８に嵌まり込むことにより維持される。
【００６３】
この完全装着位置への変位の際、図５（ｂ）に示すようにカバー５０側の二次係止突起５８が二次係止突起挿入孔２６から端子挿入孔２２内に進入して同孔２２内における電線側端子６０のスタビライザ６６の後側に位置することにより、当該電線側端子６０の二次係止すなわち抜け止めが行われる。このとき、電線側端子６０が半嵌合状態であると前記スタビライザ６６に前記二次係止突起５８が当たる等して同突起５８が端子挿入孔２２内に深く進入できないので、この工程で半嵌合状態の検知も行うことができる。
【００６４】
７）以上のようにして電線Ｄの端末にコンデンサ内蔵コネクタが取付けられたワイヤハーネスを車両内の適当な位置に配索し、前記コンデンサ内蔵コネクタにおけるアース接続導体３０のアース端子部３２を適当な接地部分（例えば車のボディ）に締結する。これにより、前記電線側端子６０が電線接続導体４０、コンデンサ１０、及びアース接続導体３０を順に経由してアースに接続された状態となる。
【００６５】
なお、アース端子部３０の具体的な形状は適宜設定可能であり、例えば図９（ａ）（ｂ）に示すように、通常のアース端子７４と合体可能な形状とすることも可能である。図示の構造では、前記コンデンサ内蔵コネクタを経由してアースに接続すべき電線Ｄとは別に、アースに直接接続すべきアース電線ＤａがワイヤハーネスＷＨから引き出され、その端末にアース端子７４が圧着されており、このアース端子７４と前記アース端子部３２を重ね合わせて合体させた状態で当該アース端子７４とアース端子部３２とを共通の接地部分にまとめて接続することが可能となっている。
【図面の簡単な説明】
【００６６】
【図１】本発明の実施の形態に係るコンデンサ内蔵コネクタの本体とカバーとを示す斜視図である。
【図２】前記コンデンサ内蔵コネクタの本体とカバーとを示す一部断面斜視図である。
【図３】（ａ）（ｂ）は前記コンデンサ内蔵コネクタを図４（ｂ）のＤ−Ｄ線の高さで切った断面平面図であり、（ａ）はカバーが仮装着位置にある状態を示す断面平面図、（ｂ）はカバーが完全装着位置にある状態を示す断面平面図である。
【図４】（ａ）は図３（ｂ）のＡ−Ａ線断面図、（ｂ）は図３（ｂ）のＢ−Ｂ線断面図、（ｃ）は（ａ）のＣ−Ｃ線断面図である。
【図５】（ａ）（ｂ）は前記コンデンサ内蔵コネクタを図４（ｂ）のＣ−Ｃ線の高さで切った断面平面図であり、（ａ）はカバーが仮装着位置にある状態を示す断面平面図、（ｂ）はカバーが完全装着位置にある状態を示す断面平面図である。
【図６】（ａ）〜（ｃ）は前記コンデンサ内蔵コネクタの組立工程を示す斜視図である。
【図７】（ａ）〜（ｃ）は前記コンデンサ内蔵コネクタの本体に対してカバーを装着する工程を示す斜視図である。
【図８】（ａ）は前記コンデンサ内蔵コネクタの適所に接着剤が供給されて固化した状態を示す斜視図、（ｂ）は（ａ）のＤ−Ｄ線断面図である。
【図９】（ａ）は前記コンデンサ内蔵コネクタの変形例を示す斜視図、（ｂ）は（ａ）に示すコンデンサ内蔵コネクタのアース端子部に別のアース端子が合体した状態を示す斜視図である。
【図１０】（ａ）は従来のコンデンサ内蔵コネクタの例を示す分解断面図、（ｂ）は（ａ）のコンデンサ内蔵コネクタの組立状態を示す断面図である。
【符号の説明】
【００６７】
１０    コンデンサ
１２    コンデンサ本体
１４    第１コンデンサ端子
１６    第２コンデンサ端子
２０    絶縁ハウジング
２１Ａ，２１Ｂ，２１Ｃ    開口部
２２    端子挿入孔
２２ａ  開口
２２ｂ  治具挿入窓
２３Ａ  アース接続導体用圧入孔
２４Ａ  第２コンデンサ接続部圧入孔
２４Ｂ  端子嵌合部圧入孔
２５ａ  係止部
２６    二次係止突起挿入孔
２７    仮係止突起
３０    アース接続導体
３２    アース端子部
３４    第１コンデンサ接続部
３６    圧入固定部
４０    電線接続導体
４２    第２コンデンサ接続部
４４    端子嵌合部
４６    連結部
５０    カバー
５４    側壁
５５    治具挿入窓
５６    開口部
５８    二次係止突起
６０    電線側端子
７０    導通検査治具
７２    係止解除治具
７４    他のアース端子
【図１】
2006100061.tif 000003
【図２】
2006100061.tif 000004
【図３】
2006100061.tif 000005
【図４】
2006100061.tif 000006
【図５】
2006100061.tif 000007
【図６】
2006100061.tif 000008
【図７】
2006100061.tif 000009
【図８】
2006100061.tif 000010
【図９】
2006100061.tif 000011
【図１０】
2006100061.tif 000012